(57)【要約】【課題】タバコの吸殻処理装置を構成する吸殻搬送体として好適に利用できるスクリュー構造体の提供。【解決手段】軸部２３の外周に螺旋翼２４が一体成型されると共に、その軸線上に第１軸挿通孔２５が形成された樹脂製の複数のスクリューエレメント２１と、それぞれの前記第１軸挿通孔２５に挿通され、複数の前記スクリューエレメント２１を軸方向に互いに密着して整列する断面が方形な第１軸２２を備えて、スクリューユニット２０が構成され、  前記第１軸２２には断面が方形な第２軸挿通孔２６が形成され、隣接するスクリューユニット２０の前記挿通孔２６に断面方形の第２軸３１の両端部が嵌着することにより、複数のスクリューユニット２０を互いに連結したスクリュー構造体が形成される。 【選択図】    図１
2008220634.tif 000002
【特許請求の範囲】
【請求項１】
軸部(23) の外周に螺旋翼(24) が一体成型されると共に、その軸線上に第１軸挿通孔(25)が形成された樹脂製の複数のスクリューエレメント(21) と、それぞれの前記第１軸挿通孔(25) に挿通され、複数の前記スクリューエレメント(21) を軸方向に互いに密着して整列する断面が方形な第１軸(22) を備えていることを特徴とするスクリューユニット。
【請求項２】
請求項１において、前記螺旋翼(24) は前記軸部(23) の周方向に２７０度分だけ形成され、その両端の縁面(29) は前記軸部(23) から半径方向に延長され、前記第１軸(22) により複数のスクリューエレメント(21) が互いに密着して整列される際に、隣接する螺旋翼(24) の前記縁面(29) が互いに密着されることを特徴とするスクリューユニット。
【請求項３】
請求項１または請求項２に記載された複数のスクリューユニット(20) を軸方向に連結したスクリュー構造体(32) であって、前記第１軸(22) には断面が方形な第２軸挿通孔(26) が軸線上に形成され、隣接するスクリューユニット(20) の前記第２軸挿通孔(26) 間が断面方形な第２軸(31) の両端部を嵌着することにより、複数のスクリュー構造体(32) が互いに連結されていることを特徴とするスクリュー構造体。
【請求項４】
請求項３において、スクリューエレメント(21) の軸部外周から第１軸(22) の第２軸挿通孔(26) 内にストッパ部材(30) が挿入され、そのストッパ部材(30) により前記第２軸挿通孔(26) 内の前記第２軸(31) の軸線方向移動が阻止されることを特徴とするクリュー構造体。
【請求項５】
請求項３または請求項４において、前記スクリュー構造体(32) は、遊技場におけるタバコの吸殻処理装置を構成するスクリュー構造体として用いられることを特徴とするスクリュー構造体。
【発明の詳細な説明】
【技術分野】
【０００１】
本発明は遊技場におけるタバコの吸殻処理装置を構成する吸殻搬送体等に利用できるスクリューユニットおよびスクリュー構造体に関する。
【背景技術】
【０００２】
例えば多くのパチンコ店では、多数のパチンコ機やスロット機などの遊技具を島状の設置部に配列し、その設置部の前面下部に細長いカウンターを設け、カウンターに沿って吸殻処理装置が設けられる。吸殻処理装置はカウンター上の遊技具ごとに設けた灰皿と、各灰皿と連通する細長い吸殻搬送部を備えている。
タバコの吸殻はスノコ状の灰皿の底から落下孔を通過して吸殻搬送部に落下し、横方向に搬送されて吸殻回収部に回収される。このような吸殻処理装置は例えば特許文献１に記載されている。
【０００３】
図５は吸殻処理装置の１例を示す部分断面図である。吸殻処理装置１はカウンターの下側に沿って設けられた細長い板状のテンプレート２と、テンプレート２の下方に平行して設けられた細長い樋体３と、テンプレート２と樋体３で囲まれた細長い空間に沿って配置されたスクリュー構造体４を備えている。なおテンプレート２には遊技具５ごとに設けられる灰皿の底部に開口する落下孔６が設けられる。
【０００４】
スクリュー構造体４は軸体７とその周囲に沿って連続して設けた螺旋翼８を有し、軸体７の一方の端部は継手９を介して駆動モータ１０に連結され、他方の端部は軸受部１１に軸支される。軸受部１１の下方に吸殻回収部１２が配置される。吸殻回収部１２は上方が開放された箱体１３により構成され、箱体１３の両側面に取手１４が設けられる。そして箱体１３上方に延長する前記樋体３の底部に開口部１５が形成される。
【０００５】
図示しない灰皿からのタバコの吸殻は落下孔６を通して樋体３内に落下し、駆動モータ１０により低速回転するスクリュー構造体４の搬送作用により左方に搬送され、軸受部１１近傍まで搬送された吸殻は開口部１５から吸殻回収部１２の箱体１３内に落下する。箱体１３内には火の付いた吸殻を消火するために所定レベルまで水が収容されている。
【０００６】
【特許文献１】特開平８−１０４３７号公報
【発明の開示】
【発明が解決しようとする課題】
【０００７】
上記スクリュー構造体４は軽量化および低コスト化等から樹脂成型により製造することが望ましい。樹脂成形によりスクリュー構造体４を製造するには、例えば螺旋翼部分を複数に分割成型し、成型に際して軸部の中心に第１軸挿通孔を形成しておき、細長い金属製の丸棒を複数の螺旋翼部分の第１軸挿通孔に順次挿通し、各螺旋翼部分から丸棒にピンを差し込むか、ビスをねじ込むことにより、それらの共回りを防止する方法が考えられる。
【０００８】
しかしこのような連結方法を採用すると、スクリュー構造体が回転する際に生じる周方向の応力がピン部分に集中し、ピンやビスの周辺の樹脂に亀裂を生じ、場合によっては該部分が破断して螺旋翼部分の分解や連結はずれを起こすおそれがある。そこで本発明は、これらの問題を生じないスクリューユニットおよびスクリュー構造体を提供することを課題とする。
【課題を解決するための手段】
【０００９】
前記課題を解決する本発明のスクリューユニットは、軸部の外周に螺旋翼が一体成型されると共に、その軸線上に第１軸挿通孔が形成された樹脂製の複数のスクリューエレメントと、それぞれの前記第１軸挿通孔２５に挿通され、複数の前記スクリューエレメントを軸方向に互いに密着して整列する断面が方形な第１軸を備えていることを特徴とするものである（請求項１）。
【００１０】
上記スクリューユニットにおいて、前記螺旋翼を前記軸部の周方向に２７０度分だけ形成してその両端の縁面が前記軸部から半径方向に延長するようにし、前記第１軸により複数のスクリューエレメントを互いに密着して整列した際に、隣接する螺旋翼２４の前記縁面２９が互いに密着するように構成することができる（請求項２）。
【００１１】
前記課題を解決する本発明のスクリュー構造体は、上記いずれかのスクリューユニットを軸方向に連結して構成され、前記第１軸にはその軸線上に断面が方形な第２軸挿通孔が形成され、隣接するスクリューユニットの前記第２軸挿通孔間に断面が方形な第２軸の両端部を嵌着することにより、複数のスクリューユニットが互いに連結されていることを特徴とする（請求項３）。
【００１２】
上記スクリュー構造体において、スクリューエレメント２１の軸部外周から第１軸２２の第２軸挿通孔２６内にストッパ部材３０を挿入して、そのストッパ部材３０により前記第２軸挿通孔２６内の前記第２軸３１の軸線方向移動を阻止するように構成することができる（請求項４）。
【００１３】
上記いずれかのスクリュー構造体は、遊技場におけるタバコの吸殻処理装置を構成するスクリュー構造体として用いることができる（請求項５）。
【発明の効果】
【００１４】
本発明のスクリューユニットは、請求項１に記載のように、軸部の外周に螺旋翼が一体成型されると共に、その軸線上に第１軸挿通孔が形成された樹脂製の複数のスクリューエレメントと、それぞれの前記第１軸挿通孔に挿通され、複数の前記スクリューエレメントを軸方向に互いに密着して整列する断面が方形な第１軸を備えていることを特徴とする。
【００１５】
このように、スクリューエレメントと第１軸が方形による４面で互いに接触する構造を採用すると、ピンやビスなしでスクリューエレメントと第１軸の共回りが防止できる上に、整列構造も簡単になる。しかも螺旋体が回転する際に生じる周方向の応力は、方形による４つの接触面全体で受け止める構造になっているので、回転時において樹脂の一部に周方向の応力が集中することがなく、ピンやビスなどによる共回り防止策を採用する場合のような応力集中による樹脂の亀裂を生じるおそれがない。
【００１６】
上記スクリューユニットにおいて、請求項２に記載のように、前記螺旋翼を前記軸部の周方向に２７０度分だけ形成してその両端の縁面が前記軸部から半径方向に延長するようにし、前記第１軸により複数のスクリューエレメントを互いに密着して整列した際に、隣接する螺旋翼の前記縁面が互いに密着するように構成できる。
【００１７】
このように構成すると、スクリューエレメントが一体成型可能になり、成型用の金型も簡単化できるので、低コストのスクリューユニットを提供できる。またスクリューユニットを形成する際に、複数のスクリューエレメント同士を完全に密着して整列させることができる。
【００１８】
本発明のスクリュー構造体は、請求項３に記載のように、上記いずれかのスクリューユニットを軸方向に連結して構成され、前記第１軸には断面が方形な第２軸挿通孔が形成され、隣接するスクリューユニットの前記第２軸挿通孔間に断面が方形な金属製の第２軸の両端部を嵌着することにより、複数のスクリューユニットが互いに連結されていることを特徴とする。
【００１９】
このように第１軸の断面が方形な第２軸挿通孔に対し、断面が方形な短い第２軸の端部を嵌着すると、ピンやビスなしで第１軸と第２軸の共回りが防止できる上に、連結構造が簡単になり、複数のスクリューユニットから容易に所望の軸長を有するスクリュー構造体を構成できる。
【００２０】
上記スクリュー構造体において、請求項４に記載のように、スクリューエレメント２１の軸部外周から第１軸２２の第２軸挿通孔２６内にストッパ部材３０を挿入し、そのストッパ部材３０により前記第２軸挿通孔２６内の前記第２軸３１の軸線方向移動を阻止することができる。
このように第１軸の第２軸挿通孔２６を軸方向に貫通させると、第１軸の軸長が長くても、第２軸挿通孔が一体的に形成された第１軸を押出成型により容易に且つ低コストで製造できる。なお、樹脂製のスクリューエレメント２１の軸部にはストッパ部材３０が挿入されるが、前記のように螺旋体が回転する際に生じる周方向の応力は、方形による４つの接触面全体で受け止める構造になっているので、ストッパ部材３０の挿入部分の周辺樹脂に亀裂が生じるおそれはない。
【００２１】
上記いずれかのスクリュー構造体は、請求項５に記載のように、遊技場におけるタバコの吸殻処理装置を構成するスクリュー構造体として用いることができる。パチンコ店などの遊技場に設置されるスクリュー構造体の軸長はかなり長いので、軸長を自由に選択できる本発明に係るスクリュー構造体が好適に利用できる。
【発明を実施するための最良の形態】
【００２２】
次に、図面に基づいて本発明の最良の実施形態を説明する。図１は本発明のスクリューユニットどうしを第２軸により連結する斜視説明図であり、図２はそのユニットの構成部品であるスクリューエレメントの正面図および側面図、図３は図１のIII−III矢視略図、図４はスクリューユニットの連結状態を示す要部正面図である。また、図５はその使用状態の説明図である。
スクリューユニット２０は、樹脂製のスクリューエレメント２１と断面が方形な金属製の第１軸２２を備えている。そのスクリューエレメント２１は、軸部２３とその外周に形成した螺旋翼２４を有し、射出成形により作ることができる。なお、第１軸２２は金属材料等を押出成型して作ることができるが、金属材としては、押出性のよいアルミニウムまたはその合金を用いることが望ましい。なお、第１軸２２は樹脂製であってもよい。
【００２３】
スクリューユニット２０を構成するには複数のスクリューエレメント２１を図１，図４に示す如く、密着整列させる。スクリューエレメント２１の軸部２３には、その軸線上に断面が方形な第１軸挿通孔２５が形成され、その第１軸挿通孔２５に第１軸２２を貫通するようになっている。複数のスクリューユニット２０を互いに軸方向に連結するため、第１軸２２の端部には後述する第２軸３１を嵌着するための断面方形な第２軸挿通孔２６がその軸線上に形成されている。また、スクリューエレメント２１の軸部２３の端部付近には、後述するストッパ部材３０を挿入する挿通孔２７が設けられる。なお、第１軸２２の両端付近に、この挿入孔２７に対応して予め挿通孔２８を形成しておいてもよい。
【００２４】
図２（ａ）は図１に示す一つのスクリューエレメント２１の正面図で、図２（ｂ）はその左側面図である。これらの図に示すように、螺旋翼２４は軸部２３の周方向に２７０度分だけ形成されている。螺旋翼２４の両端は軸部２３の両端に一致しており、その縁面２９は軸部２３から半径方向に延長した状態とされる。
このように構成すると、後述するように複数のスクリューエレメント２１を軸方向に整列する際に、互いに螺旋翼２４が密着して連続した１つの細長い螺旋翼が形成できると共に、スクリューエレメント２１の一体成形が可能になり、成型用の金型も簡単化できるという利点がある。
【００２５】
図２（ｂ）に示すように、本実施形態では前記第１軸挿通孔２５の断面形状が正方形に形成されている。なおその第１軸挿通孔２５に整合して嵌入する第１軸２２の断面形状も正方形である。スクリューエレメント２１の寸法は目的に合わせて任意に設定できるが、遊技場のタバコの吸殻処理として用いる場合の代表的な寸法範囲としては、軸部２３の軸長：３５〜５０ｍｍ、軸部２３の直径：１４〜１８ｍｍ、軸部２３に設けた正方形の第１軸挿通孔６の辺長：４〜７ｍｍ、螺旋翼２４の最大径：４０ｍｍ〜５０ｍｍ程度に設定される。
【００２６】
スクリューユニット２０の軸長（単位長）を一例として、１ｍに設定する際は、第１軸２２の軸長も同じく１ｍに設定される。その場合、スクリューエレメント２１の軸部２３の軸長が５０ｍｍであれば、第１軸２２にスクリューエレメント２１を２０個密着整列させることにより、長さ１ｍのスクリューユニット２０が形成される。
第１軸２２における断面正方形の４つの辺長は、前記第１軸挿通孔２５に比較的スムーズに押し込んで嵌入できる範囲に設定する。例えば軸部２３に形成した断面正方形の第１軸挿通孔２５の辺長を９ｍｍに設定したとすると、第１軸２２の辺長はそれより僅かに小さくすることが望ましい。
【００２７】
図１，図４に示すように、１本の第１軸２２により複数のスクリューエレメント２１が互いに密着した状態で整列されてスクリューユニット２０が構成されるが、このようにスクリューユニット２０を構成するには、先ず第１軸２２をスクリューエレメント２１の第１軸挿通孔２５に順次押し込みながら嵌入する。その際、隣接する螺旋翼２４の縁面２９を互いに密着させることにより、連続した細長い螺旋体が形成される。このとき、第１軸２２および第１軸挿通孔２５が正方形テーブルあり且つ、スクリューエレメント２１の螺旋翼２４が軸線の回りに２７０度形成されているので、隣接するエレメントどうしは、互いに９０度回転した状態で互いに接続すればよい。
【００２８】
上記のように形成した複数のスクリューユニット２０を後述する第２軸を介して互いに連結することにより、所望の軸長のスクリュー構造体３２とすることができる。その際、第２軸３１が第２軸挿通孔２６の端部から内部へ移動することを阻止するために、次のような方法をとることができる。
【００２９】
図３はストッパ部材３０として割りピンを用いたものであり、１本の針金材の中央部を折り返して重ねられた２本足に形成されたものである。そして、そのストッパ部材３０を軸部２３の外周から挿通孔２３および第１軸２２の挿通孔２８を挿通した状態である。
ストッパ部材３０を図３のように装着するには、先ず軸部２３の挿通孔２７と第１軸２２の挿通孔２８を一致させておく。あるいは、第１軸２２を挿通状態でエレメント２１の軸部２３の挿通孔２７に回転ドリルを挿入して、第１軸２２に挿通孔２８を穿設する。
次に、ストッパ部材３０の脚部を挿通孔２７の一方の孔から内部に挿入し、第１軸２２の両側の挿通孔２８をそれぞれ通過させ、軸部２３の反対側の挿通孔２７から外周面に引き出し、引き出した２本足の先端部をその外周面に沿って折り返せばよい。
【００３０】
図４は図１に示すスクリューユニット２０の端部どうしを第２軸３１で互いに連結することにより形成したスクリュー構造体３２の部分断面図であり、スクリューユニット２０と第２軸３１の連結状態が理解できる。
【００３１】
第２軸３１は断面が方形な金属製の短い軸体であり、例えばアルミニウム材、鉄またはステンレス等の比較的高強度の金属を押し出し成形等で作ることができるが、高強度の樹脂製であってもよい。
第２軸３１をスクリューユニット２０に連結するには、スクリューユニット２０の端部における第１軸２２の第２軸挿通孔２６に第２軸３１の先端部を押し込んで嵌着する。その際、前記のように第２軸挿通孔２６の端部から所定位置にはストッパ部材３０が装着されているので、第２軸３１は第２軸挿通孔２６の所定位置より奥には進入（もしくは移動）できないようになっている。
【００３２】
第２軸３１の一方の端部は一方のスクリューユニット２０の端部に連結され、他方の端部は他のクリューユニット２０の端部に連結される。そして、他方の端部がスクリュー構造体３２の一端部になるときは、図５に示す如く、そのスクリューユニット２０が第２軸３１を介して駆動モータ１０に連結され、他端部が軸受部１１に同様に軸支される。
【産業上の利用可能性】
【００３３】
本発明のスクリューユニットおよびスクリュー構造体は、例えば遊技場におけるタバコの吸殻処理装置に利用できる。
【図面の簡単な説明】
【００３４】
【図１】本発明のスクリューユニット２０どうしを連結する説明図。
【図２】同スクリューユニットの一つのスクリューエレメント２１の正面図および左側面。
【図３】図１のIII−III矢視断面略図であって、スクリューユニット２０にストッパ部材３を装着した状態を示す。
【図４】クリュー構造体３２の部分破断正面図。
【図５】吸殻処理装置の１例を示す一部破断説明図。
【符号の説明】
【００３５】
１  吸殻処理装置
２  テンプレート
３  樋体
４  吸殻搬送体
５  遊技具
６  落下孔
７  軸体
８  スクリュー構造体
９  継手
１０  駆動モータ
１１  軸受部
１２  吸殻回収部
１３  箱体
１４  取手
１５  開口部
【００３６】
２０  スクリューユニット
２１  スクリューエレメント
２２  第１軸
２３  軸部
２４  螺旋翼
２５  第１軸挿通孔
２６  第２軸挿通孔
２７、２８  挿通孔
２９  縁面
３０  ストッパ部材
３１  第２軸
３２  スクリュー構造体
【図１】
2008220634.tif 000003
【図２】
2008220634.tif 000004
【図３】
2008220634.tif 000005
【図４】
2008220634.tif 000006
【図５】
2008220634.tif 000007